(57)【要約】【課題】耐火性能を確保でき、意匠性も向上できる建具を提供すること。【解決手段】玄関ドア１は、ドア枠２と、扉３とを備える。ドア枠２は、扉３を開閉可能に支持する縦枠３０と、扉３の戸先側に設けられた縦枠４０と、上枠とを少なくとも備える。扉３は、断熱芯材５３と、金属製の屋外面材５１と、金属製の屋内面材５２と、屋内面材５２よりも縦枠４０側に配置された加熱発泡材１７３Ａ，１７３Ｂ，１７４と、加熱発泡材が扉３の外周面に露出しないように被覆する樹脂骨材９０とを備える。【選択図】図３
2019108668.tif 000002
【特許請求の範囲】
【請求項１】
建具枠と、前記建具枠に対して開閉可能に取り付けられた戸体とを備え、
前記建具枠は、前記戸体を開閉可能に支持する第一縦枠と、前記戸体の戸先側に設けられた第二縦枠と、を少なくとも備え、
前記戸体は、
芯材と、金属製の屋外面材と、金属製の屋内面材と、前記屋内面材よりも前記第二縦枠側に配置された加熱発泡材と、前記加熱発泡材が前記戸体の外周面に露出しないように被覆する樹脂部材と、を備える
ことを特徴とする建具。
【請求項２】
請求項１に記載の建具において、
前記加熱発泡材は、屋内側に向かって発泡する向きに配置されている
ことを特徴とする建具。
【請求項３】
請求項１または請求項２に記載の建具において、
前記戸体は、前記第一縦枠に支持される第一縦骨と、前記戸体の戸先側に設けられる第二縦骨とを備え、
前記第二縦骨は、樹脂骨材を備え、
前記樹脂部材は、前記樹脂骨材で構成されている
ことを特徴とする建具。
【請求項４】
請求項３に記載の建具において、
前記屋内面材は、前記芯材の屋内側に配置される屋内面部と、当該屋内面部の前記第一縦骨側の端縁から屋外側に折曲された屋内見込み面部とを備え、
前記第二縦骨には、前記戸体の見込み方向に沿って延長された金属製のエッジ材が取り付けられ、
前記樹脂骨材は、前記エッジ材の屋内側に配置され、前記屋内見込み面部の前記第二縦枠側に配置される露出部を備え、
前記加熱発泡材は、前記露出部によって被覆されている
ことを特徴とする建具。
【請求項５】
請求項４に記載の建具において、
前記樹脂骨材の前記露出部は、硬質樹脂で構成された裏面部と、軟質樹脂で構成された表面部とで中空形状に構成され、
前記加熱発泡材は、前記裏面部および前記表面部で囲まれる中空部に配置されている
ことを特徴とする建具。
【発明の詳細な説明】
【技術分野】
【０００１】
本発明は、建物の玄関、勝手口等に用いられる建具に関する。
【背景技術】
【０００２】
芯材の周囲に框材（骨材）を配置し、芯材および框材を屋外面材および屋内面材で挟んで構成される扉（戸体）を備えるフラッシュドアが知られている（特許文献１）。
特許文献１では、扉の外周面、すなわち、上下框材の上下端面および左右框材の外側端面に、帯状の防火性発泡材を装着している。防火性発泡材は、火災時の熱で発泡して扉とドア枠との間を遮蔽し、火炎の透過を阻止することで耐火性を確保する。
【先行技術文献】
【特許文献】
【０００３】
【特許文献１】実開平３−１２５１９２号公報
【発明の概要】
【発明が解決しようとする課題】
【０００４】
特許文献１では、扉の外周面に防火性発泡材が装着されているため、扉の開閉時に防火性発泡材が露出して意匠性が低下する課題がある。特に、戸先側の框材の外周面は、扉の開閉時に視認されやすいため、扉の意匠性に影響する。
【０００５】
本発明の目的は、耐火性能を確保でき、意匠性も向上できる建具を提供することにある。
【課題を解決するための手段】
【０００６】
本発明の建具は、建具枠と、前記建具枠に対して開閉可能に取り付けられた戸体とを備え、前記建具枠は、前記戸体を開閉可能に支持する第一縦枠と、前記戸体の戸先側に設けられた第二縦枠と、を少なくとも備え、前記戸体は、芯材と、金属製の屋外面材と、金属製の屋内面材と、前記屋内面材よりも前記第二縦枠側に配置された加熱発泡材と、前記加熱発泡材が前記戸体の外周面に露出しないように被覆する樹脂部材と、を備えることを特徴とする。
本発明によれば、建具枠は、戸体の吊元側に設けられる第一縦枠と、戸体の戸先側に設けられる第二縦枠とを備え、前記戸体は、芯材を挟んで配置される屋外面材および屋内面材を備えている。そして、戸体の戸先側において、前記屋内面材よりも第二縦枠側に加熱発泡材を配置し、この加熱発泡材を樹脂部材で被覆しているので、戸体の戸先側において加熱発泡材は戸体表面に露出しない。このため、戸体を開閉した際に、戸先側が視認されても加熱発泡材が露出しないので意匠性を向上できる。
また、加熱発泡材は、屋内面材の第二縦枠側つまり外周側に配置され、加熱発泡材の第二縦枠側に配置されているのは樹脂部材であるため、火災時には、樹脂部材が溶けて焼失すれば、加熱発泡材の発泡を妨げるものがなく、第二縦枠と戸体との間を加熱発泡材で確実に遮蔽でき、耐火性能を確保できる。
【０００７】
本発明の建具は、前記加熱発泡材は、屋内側に向かって発泡する向きに配置されていることが好ましい。
玄関ドア等で多く用いられる外開きのドアの建具枠には、戸体の屋内面に対向する屋内側見付け面部が設けられ、この屋内側見付け面部には、戸体の屋内面に当接するタイト材が装着されている。このため、建具の屋内側で火災が発生した場合などにタイト材が焼失すると、建具枠と戸体との間に隙間が生じ、火炎が流通する。これに対し、本願発明では、加熱発泡材が屋内側に向かって発泡するため、タイト材や屋内側見付け面部側に加熱発泡材を発泡させることができる。したがって、タイト材が焼失しても戸体と屋内側見付け面部との間を加熱発泡材で遮蔽でき、特に屋内火災時の耐火性能を確保できる。
【０００８】
本発明の建具において、前記戸体は、前記第一縦枠に支持される第一縦骨と、前記戸体の戸先側に設けられる第二縦骨とを備え、前記第二縦骨は、樹脂骨材を備え、前記樹脂部材は、前記樹脂骨材で構成されていることが好ましい。
加熱発泡材を覆う樹脂部材を、戸体の樹脂骨材で構成すれば、加熱発泡材を被覆する部材を樹脂骨材で兼用でき、骨材とは別の樹脂製カバー材を配置する場合に比べて、コストを削減できる。
【０００９】
本発明の建具において、前記屋内面材は、前記芯材の屋内側に配置される屋内面部と、当該屋内面部の前記第一縦骨側の端縁から屋外側に折曲された屋内見込み面部とを備え、前記第二縦骨には、前記戸体の見込み方向に沿って延長された金属製のエッジ材が取り付けられ、前記樹脂骨材は、前記エッジ材の屋内側に配置され、前記屋内見込み面部の前記第二縦枠側に配置される露出部を備え、前記加熱発泡材は、前記露出部によって被覆されていることが好ましい。
本発明によれば、金属製のエッジ材を取り付けたので、樹脂骨材の屋外側の一部をエッジ材で被覆でき、エッジ材で被覆されていない場合に比べて防火性を向上できる。また、エッジ材の屋内側には、樹脂骨材の露出部が配置されているので、エッジ材が戸体の屋内面の位置まで延長されている場合に比べて、断熱性を向上できる。
さらに、樹脂骨材の露出部に加熱発泡材を配置しているので、加熱発泡材が発泡した際に、エッジ材によって建具枠側への発泡が阻害されることを防止でき、建具枠との隙間を確実に塞ぐことができる。
【００１０】
本発明の建具において、前記樹脂骨材の前記露出部は、硬質樹脂で構成された裏面部と、軟質樹脂で構成された表面部とで中空形状に構成され、前記加熱発泡材は、前記裏面部および前記表面部で囲まれる中空部に配置されていることが好ましい。
本発明によれば、樹脂骨材の露出部に形成された中空部に、加熱発泡材を配置できるので、樹脂骨材の端部開口から中空部に加熱発泡材を挿入するだけでよく、加熱発泡材の配置作業を容易に行うことができる。
また、露出部の表面部は軟質樹脂で構成されているので、露出部と建具枠との間に、物等が挟まっても、表面部が変形するため、物の挟み込みを抑制できる。
【発明の効果】
【００１１】
本発明の建具によれば、耐火性能を確保でき、意匠性も向上できる。
【図面の簡単な説明】
【００１２】
【図１】本発明の第１実施形態に係るドアの外観姿図。
【図２】前記第１実施形態に係るドアの縦断面図。
【図３】前記第１実施形態に係るドアの横断面図。
【図４】前記第１実施形態に係る扉部分を拡大して示す横断面図。
【図５】前記第１実施形態に係る加熱発泡材の発泡状態を示す図。
【図６】本発明の第２実施形態に係るドアの縦断面図。
【図７】本発明の第２実施形態に係るドアの横断面図。
【図８】本発明の第３実施形態に係るドアの縦断面図。
【図９】本発明の第３実施形態に係るドアの横断面図。
【発明を実施するための形態】
【００１３】
［第１実施形態］
以下、本発明の第１実施形態を図面に基づいて説明する。
図１〜３に示すように、本発明の建具である玄関ドア１は、いわゆる片開きドアであり、建物の外壁開口部に固定される建具枠であるドア枠２と、このドア枠２に開閉可能に支持される戸体である扉３とを備えて構成されている。
なお、以下の説明において、図１に示す玄関ドア１を正面から見た際に、左右方向をＸ軸方向、上下方向をＹ軸方向、屋内外方向（見込み方向）をＺ軸方向とする。
【００１４】
ドア枠２は、上枠１０、下枠２０および左右の縦枠３０，４０を有する。なお、図１の右側に配置される縦枠３０が吊元側の第一縦枠とされて丁番４が取り付けられ、図１の左側に配置される縦枠４０が戸先側の第二縦枠とされている。丁番４は、旗丁番などの一般的な丁番であり、建具枠であるドア枠２との連結用の部品である。扉３の戸先側には、操作ハンドル１４０が設けられている。なお、ドア枠２としては、下枠２０を備えないタイプでもよい。
【００１５】
上枠１０は、図２に示すように、アルミ製の屋外部材１１および屋内部材１２を、ウレタン樹脂等の断熱材１３で連結して構成された断熱形材であり、屋外部材１１および屋内部材１２が図示略の躯体に固定される。
なお、ドア枠２においては、図２、３にも示すように、断熱材１３と、沓摺部２４以外の構成に関しては、図を見やすくするためにハッチングを省略している。また、各実施形態の扉３〜３Ｂにおいては、金属骨材６０、６０Ｂ、屋外面材５１、屋内面材５２のハッチングを省略している。
屋外部材１１は、中空枠形状とされたアルミ（金属）製の押出形材である。なお、屋外部材１１の下面部１１３は、ドア枠２の見込み方向に沿った見込み面を構成する。
屋内部材１２は、アルミ（金属）製の押出形材であり、ドア枠２の見込み方向に沿って設けられた下面部１２１と、下面部１２１から下方に突出して設けられた保持片部１２２とを備える。保持片部１２２の屋外面に形成された溝部に、タイト材１５が取り付けられている。タイト材１５は、ＥＰＤＭ（エチレンプロピレンゴム）やＰＶＣ（ポリ塩化ビニル）等の一般的な合成樹脂材で構成され、扉３を閉めた際に扉３の屋内面に当接する。
【００１６】
下枠２０は、アルミ押出形材で構成され、見込み面となる上面部２１３と、タイト材２５を保持する保持片部２２２とを備えている。下枠２０は、例えば、モルタルで納まるため、熱の出入りが少ない。このため、下枠２０は、上枠１０のようなアルミ断熱形材ではなく、屋外側から屋内側まで一体に形成されたアルミ押出形材で構成されている。
タイト材２５は、タイト材１５と同一の部品であり、保持片部２２２に取り付けられて扉３を閉めた際に扉３の屋内面に当接する。下枠２０の屋内露出面は、ゴム製の沓摺部２４と、タイト材２５とで被覆されている。また、下枠２０の表面には、擦り傷対策用のステンレスカバー２７がビス止めされている。
【００１７】
吊元側の縦枠（第一縦枠）３０および戸先側の縦枠（第二縦枠）４０は、図３に示すように、アルミ押出形材からなる屋外部材３１、４１と、屋内部材３２、４２とを、ウレタン樹脂等の断熱材３３、４３で連結したアルミ断熱形材で構成されている。さらに、上枠１０と同様に、屋外部材３１、４１と、屋内部材３２，４２とは、図示略の躯体に固定されている。
屋外部材３１、４１は、中空枠形状とされ、ドア枠２の見込み方向に沿った見込み面を構成する側面部３１３、４１３を備える。
屋内部材３２、４２は、ドア枠２の見込み方向に沿って設けられる側面部３２１、４２１と、側面部３２１、４２１から側方に突出して設けられて、屋内側見付け面部を構成する保持片部３２２、４２２とを備える。保持片部３２２、４２２の屋外面に形成された溝部には、タイト材３５、４５が取り付けられている。
タイト材３５、４５は、タイト材１５、２５と同じ材質の合成樹脂材であり、扉３を閉めた際に扉３の屋内面に当接する。
縦枠４０の側面部４１３には、扉３の錠ケース１００から出てくるラッチボルト１０１やデッドボルトを受ける受座１０５および箱受１０６が取り付けられている。
【００１８】
扉３は、図２，３に示すように、骨材５と、骨材５の屋外側に固定された屋外面材５１と、骨材５の屋内側に固定された屋内面材５２と、屋外面材５１と屋内面材５２との間に設けられた断熱芯材５３とを備えている。本実施形態では、採光窓が設けられていない扉３を用いているが、扉３に開口を設け、開口に採光用パネルを組み込んだ扉を用いてもよい。
骨材５は、吊元側および戸先側の縦骨８、９を備えており、上骨、下骨は設けられていない。
図３、４に示すように、吊元側の縦骨８は、金属骨材６０および樹脂骨材８０で構成され、丁番４を介して縦枠３０に開閉可能に支持される第一縦骨である。戸先側の縦骨９は、縦骨８と同一の金属骨材６０と、樹脂骨材９０とで構成された第二縦骨である。樹脂骨材９０は、後述する金属製のエッジ材１５０や、錠ケース１００が取り付けられるために樹脂骨材８０と異なる形状とされているが、基本的な構成は類似する。
【００１９】
次に、金属骨材６０、樹脂骨材８０、９０の詳細について、図４の拡大図を参照して説明する。
本実施形態の金属骨材６０は、スチール材等の剛性の高い金属材料で構成されたチャンネル材である。このため、金属骨材６０は、扉３の見込み方向（Ｚ軸方向）に沿った見込み片部６１と、見込み片部６１の屋外側端部および屋内側端部から縦骨８、９の見付け方向（Ｘ軸方向）にそれぞれ延長された屋外見付け片部６２および屋内見付け片部６３とを備えている。
金属骨材６０の厚さ寸法や見込み方向の寸法は、扉３において求められる剛性等に応じて設定され、上下方向（Ｙ軸方向）の寸法は扉３のサイズに応じて設定される。
【００２０】
縦骨８の樹脂骨材８０は、曲げ強さが高く、熱伝導率が低い合成樹性材で構成される。例えば、樹脂骨材８０は、曲げ強さが50×106Pa以上、熱伝導率が0.5W/(m・K)の合成樹性材、例えば硬質ＰＶＣ等の合成樹脂材を押出成形して製造したものである。樹脂骨材８０は、金属骨材６０の見込み片部６１に沿って配置される外周片部８１と、外周片部８１の屋外側端部から見付け方向に延長された屋外片部８２とを備えて、断面略Ｌ字状に形成されている。外周片部８１と屋外片部８２とが連続する角部（コーナー部）は直角（９０度）に設定されている。外周片部８１は、屋内側端部が屋内面材５２の屋内面部５２１と面一となる位置まで延長され、金属骨材６０が扉３の側面に露出しないように被覆する。
外周片部８１の表面（縦枠３０の側面部３１３に対向する見込み面）は、見込み方向の中間部分で段差が設けられ、段差よりも室外側の面材保持面８１１は、段差よりも室内側の露出面８１２よりも扉３の内部側に一段凹んで設けられている。前記段差は、屋外面材５１の厚さ寸法に合わせて設定され、面材保持面８１１に配置された屋外面材５１の表面と、露出面８１２とはほぼ面一とされている。
【００２１】
外周片部８１の裏面、つまり金属骨材６０に対向する見込み面には、樹脂骨材８０の長手方向（上下方向）に沿って連続する凸部８５〜８７が形成されている。凸部８５は外周片部８１の屋内側端部に形成され、凸部８６は外周片部８１の見込み方向の略中央部に形成され、凸部８７は外周片部８１の略中央部よりも屋外側に形成されている。
外周片部８１の裏面には、凸部８５〜８７で区画される３つの凹溝８１５〜８１７が形成されている。凸部８６，８７は、凹溝８１５〜８１７間に設けられ、樹脂骨材８０において凹溝８１５〜８１７が形成されることで細くなった部分に比べて、肉厚（見付け方向の寸法）が大きくされ、金属骨材６０に当接している。この凸部８６，８７には、丁番４を固定するネジ３６、３７がねじ込まれている。このため、本実施形態では、ネジ受け部は、凸部８６，８７によって構成されている。樹脂骨材８０の屋内面に位置する凸部８５には、タイト材３５が当接するため、凸部８５によってタイト材３５に当接する当接部が構成されている。
また、凸部８５〜８７が形成されることで、金属骨材６０や後述する屋内面材５２と、樹脂骨材８０との接触面積が小さくなり、金属骨材６０や屋内面材５２と、外周片部８１とで区画される３つの密閉空間（凹溝８１５〜８１７）が形成されるため、樹脂骨材８０から金属骨材６０や屋内面材５２への熱伝導を低減でき、縦骨８部分の断熱性能を向上できる。凸部８６には、屋内面材５２の端部が配置される段差部が形成されている。
凹溝８１５、８１６には、加熱発泡材１７１、１７２がそれぞれ配置されている。
【００２２】
屋外片部８２の屋内面には、金属骨材６０の屋外見付け片部６２が配置される保持溝８２１が形成されている。保持溝８２１は、外周片部８１と、屋外片部８２から突設された突片部８２２とで区画されている。
なお、縦骨８の金属骨材６０や樹脂骨材８０には、電気錠の配線などを通すための貫通孔が形成されている場合がある。
【００２３】
縦骨９の樹脂骨材９０は、金属骨材６０の見込み片部６１に沿って配置される外周片部９１と、外周片部９１の屋外側端部から見付け方向に延長された屋外片部９２とを備えて、断面略Ｌ字状に形成されている。外周片部９１の屋内側端部も、屋内面材５２の屋内面部５２１と面一となる位置まで延長され、金属骨材６０が扉３の側面に露出しないように被覆している。
外周片部９１は、後述するエッジ材１５０と金属骨材６０の見込み片部６１との間に配置される介在部９３と、介在部９３の屋内側端部に連続して形成されてエッジ材１５０の屋内側端部の屋内側に配置される露出部９４とを備える。
外周片部９１（介在部９３）の表面には、屋外面材５１が配置される面材保持面９１１と、錠ケース１００に当接して位置決めする当接部９１２と、エッジ材１５０が係合する凹溝部９１３とが形成されている。
【００２４】
露出部９４は、介在部９３の屋内側端部から縦枠４０の側面部４１３側に突出する見付け片部９４１と、見付け片部９４１の先端部から屋内側に延出された側面側露出面部９４２と、側面側露出面部９４２の屋内側端部から見付け方向に延長された屋内側露出面部９４３と、側面側露出面部９４２の見込み方向の中間位置から見付け方向に延長された区画片部９４５とを備えている。
見付け片部９４１には、屋外側に向かって開口し、エッジ材１５０の屋内側端部１５４が係合する係合溝が形成されている。屋内側露出面部９４３の金属骨材６０側の端部は、屋内面材５２に当接している。樹脂骨材９０の屋内面に位置する屋内側露出面部９４３には、タイト材４５が当接するため、屋内側露出面部９４３によってタイト材４５に当接する当接部が構成されている。
屋内側露出面部９４３および区画片部９４５間と、見付け片部９４１および区画片部９４５間にはそれぞれ溝が形成され、これらの２つの溝には、加熱発泡材１７３Ａ、１７３Ｂがそれぞれ配置されている。さらに、これらの２つの溝の開口を塞ぐ位置にも加熱発泡材１７４が配置されている。
【００２５】
外周片部９１（介在部９３）の裏面には、樹脂骨材８０の長手方向（上下方向）に沿って連続する凸部９６、９７が形成されている。凸部９６は外周片部９１の見込み方向の略中央部に形成され、凸部９７は外周片部９１の略中央部よりも屋外側に形成されている。外周片部９１の裏面には、屋内側露出面部９４３と、凸部９６、９７で区画される３つの凹溝９１５〜９１７が形成されている。このため、金属骨材６０や屋内面材５２と、樹脂骨材９０との接触面積が小さくなり、金属骨材６０や屋内面材５２と、外周片部９１とで区画される３つの密閉空間（凹溝９１５〜９１７）が形成されるため、樹脂骨材９０から金属骨材６０や屋内面材５２への熱伝導を低減でき、縦骨９部分の断熱性能を向上できる。
凹溝９１５には、前述した加熱発泡材１７４が配置され、凹溝９１７には、別の加熱発泡材１７５が配置されている。
屋外片部９２の屋内面には、屋外片部８２の保持溝８２１、突片部８２２と同様の保持溝９２１、突片部９２２が設けられている。
縦骨９の金属骨材６０や樹脂骨材９０と、エッジ材１５０には錠ケース１００が挿通される貫通孔が形成されている。
【００２６】
屋外面材５１および屋内面材５２は、鋼板で構成されている。
屋外面材５１は、図２〜図４に示すように、断熱芯材５３の屋外面に接着される屋外面部５１１と、屋外面部５１１の上下および左右の端縁から屋内側（Ｚ軸方向）に折曲された屋外見込み面部５１２Ａ〜５１２Ｄとを備えている。
図４に示すように、屋外面部５１１の左右に連続する屋外見込み面部５１２Ｃ、５１２Ｄは、縦骨８、９における樹脂骨材８０、９０の面材保持面８１１、９１１に接着されている。なお、屋外見込み面部５１２Ｃの屋内側端縁は、面材保持面８１１の段差部近傍まで設けられている。屋外見込み面部５１２Ｃの屋内側端部の見込み方向（Ｚ軸方向）の位置は、凸部８７の屋内側端面（凹溝８１６を区画する面）とほぼ同じ位置とされている。このため、図３に示すように、屋外見込み面部５１２Ｃと凸部８７とは、扉３を側面側から視認した際に、重なって（オーバーラップして）配置され、ネジ３７は、屋外見込み面部５１２Ｃ、凸部８７を介して、金属骨材６０にねじ込まれている。
一方、屋外見込み面部５１２Ｄはラッチボルトやデッドボルト（図示略）等を備える錠ケース１００と干渉しないように、その延出寸法（Ｚ軸方向の寸法）は、屋外見込み面部５１２Ｃに比べて短く設定されている。
【００２７】
屋内面材５２は、断熱芯材５３の屋内面に接着される屋内面部５２１と、屋内面部５２１の上下および左右の端縁から屋外側に折曲された屋内見込み面部５２２Ａ〜５２２Ｄとを備えている。
図４に示すように、屋内見込み面部５２２Ｃ、５２２Ｄは、金属骨材６０に沿って配置され、金属骨材６０に締結部材であるリベット６４で固定されている。なお、屋内見込み面部５２２Ｃは、樹脂骨材８０の凸部８６の段差部まで延長されている。このため、図３に示すように、屋内見込み面部５２２Ｃと凸部８６とは、扉３の側面視でオーバーラップして配置され、ネジ３６は、凸部８６、屋内見込み面部５２２Ｃを介して、金属骨材６０にねじ込まれている。
さらに、屋外見込み面部５１２Ｃと、屋内見込み面部５２２Ｃとは、扉３の見込み方向および見付け方向に離れて配置され、屋外見込み面部５１２Ｃおよび屋内見込み面部５２２Ｃ間で熱伝導が生じないように構成している。
【００２８】
屋内見込み面部５２２Ｄは、図４に示すように、錠ケース１００と干渉しないように、その延出寸法（Ｙ軸方向の寸法）は、屋内見込み面部５２２Ｃに比べて短く設定されている。本実施形態では、介在部９３の屋内側端部まで延長されている。
このように、屋外面材５１と、金属骨材６０や屋内面材５２との間には、樹脂骨材８０、９０が介在され、屋外面材５１から金属骨材６０や屋内面材５２への熱伝導が抑制され、熱橋となることを防止できるため、扉３の断熱性能を向上できる。
【００２９】
図２に示すように、屋外面部５１１の上下に連続する屋外見込み面部５１２Ａ、５１２Ｂには、断熱芯材５３側に折曲された見付け面部５１３が連続して形成されている。
同様に、屋内面材５２の屋内見込み面部５２２Ａ、５２２Ｂには、断熱芯材５３側に折曲された見付け面部５２３が連続して形成されている。
そして、見付け面部５１３、５２３は、断熱部材６５を挟んで接着されている。断熱部材６５は、不燃性ポリウレタンなどの不燃性を有する断熱材で構成され、見付け面部５１３、５２３に接着固定されている。
また、屋内見込み面部５２２Ａの上面には、加熱発泡材１７６がリベット６６で固定されている。
【００３０】
断熱芯材５３は、ＥＰＳ（発泡ビーズ法ポリスチレン）製の断熱材で構成されている。なお、断熱芯材５３は、フェノール樹脂系の断熱材を用いてもよいし、ハニカム材（水酸化アルミハニカム、セラミックハニカム、ペーパーハニカム）、フォーム材（イソシアヌレートフォーム、ウレタンフォーム、フェノール樹脂フォーム）等の断熱材が使用されてもよい。
屋外面材５１および屋内面材５２は、断熱芯材５３の屋外面および屋内面に接着剤で接着され、屋外見込み面部５１２Ａ〜５１２Ｄ、屋内見込み面部５２２Ａ〜５２２Ｄが樹脂骨材８０、９０や金属骨材６０に接着剤やリベット６４等で固定されている。したがって、扉３は、骨材５に鋼板である屋外面材５１および屋内面材５２を貼って平らに仕上げたフラッシュドアである。
【００３１】
図３，４に示すように、エッジ材１５０は、アルミニウムなどの金属製の押出形材で形成され、屋外面材５１の屋外見込み面部５１２Ｄおよび樹脂骨材９０の介在部９３に跨がって配置されている。
すなわち、エッジ材１５０は、屋外側に露出して、縦枠４０と、扉３との隙間をカバーするカバー部１５１と、カバー部１５１から屋内側に延長されて扉３の側面に露出する側面部１５２とを備える。カバー部１５１の屋内側には水密材１６０が配置されている。
側面部１５２には、二本の突条部１５３が突設され、突条部１５３は、樹脂骨材９０の凹溝部９１３に嵌合している。側面部１５２の屋内側端部１５４は、露出部９４の凹溝に係合している。さらに、図示は省略するが、例えば突条部１５３間において、エッジ材１５０から樹脂骨材９０を介して金属骨材６０までネジがねじ込まれている。
以上に説明したように、縦骨９は、エッジ材１５０や錠ケース１００が取り付けられるため、縦骨８と異なる構造とされている。
【００３２】
このような第１実施形態の玄関ドア１は、火災によって加熱された場合、樹脂骨材８０、９０が焼失する可能性がある。この場合、凹溝８１６、９１７に設けられた加熱発泡材１７２、１７５が発泡すると、金属骨材６０の見込み片部６１と、屋外見込み面部５１２Ｃ、５１２Ｄとの隙間を塞ぎ、断熱芯材５３からガスが発生しても扉３の外部に流出しないように遮断する。
吊元側の縦骨８に設けられた加熱発泡材１７１が発泡すると、金属骨材６０の見込み片部６１と縦枠３０の側面部３１３との間を遮蔽する。
なお、吊元側の縦骨８は、丁番４を介して３箇所で縦枠３０に固定されているので、扉３が火災時の熱で熱反りしても、縦枠３０との隙間はあまり大きくならない。このため、加熱発泡材１７１の量も比較的少なくてよい。
【００３３】
一方、戸先側の縦骨９は、上下方向の略中間位置でラッチボルト１０１やデッドボルトによって縦枠４０に係合しているだけであり、扉３が火災時の熱で熱反りすると、縦骨９の上端部や下端部は、縦枠４０から離れてしまう可能性がある。このため、縦骨９の室内側には、縦枠４０の側面部４１３に発泡する加熱発泡材１７４に加えて、タイト材４５の保持片部４２２の方向に発泡する加熱発泡材１７３Ａ，１７３Ｂを設け、縦骨９の金属骨材６０と縦枠４０との間を確実に遮蔽できるようにしている。
縦骨９では、図５に示すように、加熱発泡材１７３Ａは、屋内側に向かって発泡、すなわち、タイト材４５が装着されていた保持片部４２２に向かって発泡し、タイト材４５が焼失した場合には、扉３と保持片部４２２との間を遮蔽する。また、加熱発泡材１７３Ａの屋外側に配置された加熱発泡材１７３Ｂも屋内側に向かって発泡するが、前記加熱発泡材１７３Ａおよび加熱発泡材１７４が設けられているため、縦枠４０の側面部４１３側に発泡する。このため、加熱発泡材１７３Ｂは、加熱発泡材１７３Ａと側面部４１３や断熱材４３との間を遮蔽する。
縦骨９に設けられた加熱発泡材１７４は、屋内面材５２の屋内見込み面部５２２Ｄおよび金属骨材６０の見込み片部６１と、加熱発泡材１７３Ａ、１７３Ｂとの間を塞ぎ、さらに、見込み片部６１およびエッジ材１５０の側面部１５２との間を塞ぐ。加熱発泡材１７５は、金属骨材６０と、屋外面材５１の屋外見込み面部５１２Ｄおよびエッジ材１５０の側面部１５２との間を塞ぐ。
【００３４】
扉３の上面、すなわち屋内見込み面部５２２Ａに取り付けられた加熱発泡材１７６が発泡すると、上枠１０の下面部１１３との隙間を塞ぐことができる。特に、屋内側で火災が発生し、屋内面材５２が熱伸びした場合、扉３は、上部が屋外側に傾くように反る。この場合、加熱発泡材１７６は扉３の屋内側に配置されており、屋外側に比べて下面部１１３から離れないので、下面部１１３と屋内見込み面部５２２Ａとの間を確実に塞ぐことができる。
なお、本実施形態では、扉３の下面（屋内見込み面部５２２Ｂ）に加熱発泡材を設けていない。これは、火炎や煙は上昇するため、扉３の下面側はあまり流通しない点と、扉３を支持する丁番４が熱などで変形した場合、扉３は自重で下枠２０側に移動し、扉３の下面側を塞ぐ点で、扉３の下面には加熱発泡材を設ける必要が無いためである。ただし、扉３の下面に加熱発泡材を設けてもよい。
【００３５】
このような構成の第１実施形態によれば、以下のような効果がある。
縦骨９においては、屋内面材５２の外周側（縦枠４０側）に加熱発泡材１７３Ａ、１７３Ｂ、１７４を配置し、その外周側（縦枠４０側）に樹脂骨材９０の露出部９４を配置しているので、各加熱発泡材１７３Ａ、１７３Ｂ、１７４が扉３の外周面に露出しないように隠すことができ、意匠性を向上できる。
また、加熱発泡材１７３Ａ、１７３Ｂ、１７４は、屋内見込み面部５２２Ｄの外周側（縦枠４０側）に配置され、その外周側には、金属製の部材、例えばエッジ材１５０や屋外面材５１が配置されていないので、火災時の熱で樹脂骨材９０の露出部９４が溶けて焼失すれば、加熱発泡材１７３Ａ、１７３Ｂ、１７４の発泡を妨げるものがなく、縦枠４０と金属骨材６０や屋内見込み面部５２２Ｄとの間を確実に遮蔽して耐火性能を確保できる。
さらに、加熱発泡材１７３Ａ、１７３Ｂは、屋内側に向かって発泡する向きで配置されているので、扉３の戸先側の上端や下端が火災時の熱反りで屋外側に離れても、加熱発泡材１７３Ａ、１７３Ｂが保持片部４２２に向かって発泡し、保持片部４２２との隙間を遮蔽して断熱性能を確保できる。
縦骨８の加熱発泡材１７１も屋内見込み面部５２２Ｃの外周側（縦枠３０側）に配置され、加熱発泡材１７１は樹脂骨材８０の外周片部８１で被覆されているので、意匠性を向上でき、かつ、外周片部８１が焼失すれば加熱発泡材１７１の発泡を妨げるものが無いため、縦枠３０と屋内見込み面部５２２Ｃとの間を確実に遮蔽して耐火性能を確保できる。
【００３６】
金属骨材６０と屋外面材５１との間に樹脂骨材８０、９０の屋外片部８２、９２を配置したので、屋外面材５１から金属骨材６０や屋内面材５２への熱伝導を防止でき、扉３の断熱性能を向上できる。また、樹脂骨材８０、９０は、タイト材１５、２５の屋外側に位置する金属骨材６０および屋内見込み面部５２２Ｃ、５２２Ｄが外部に露出しないように被覆しているので、金属骨材６０や屋内面材５２が外気に直接触れることを防止でき、扉３の断熱性能をさらに向上できる。
【００３７】
金属骨材６０と屋内面材５２との間には断熱部材が配置されないので、金属骨材６０の見込み寸法を比較的大きくできて剛性を向上でき、扉３の熱反りも抑制できる。したがって、扉３が熱反りしてドア枠２との間に隙間が発生することも抑制でき、耐火性能の低下も防止できる。さらに、金属骨材６０として、見込み片部６１、屋外見付け片部６２、屋内見付け片部６３を備えるチャンネル材を用いたので、金属骨材６０の剛性を向上でき、この点でも扉３の熱反りを効果的に抑制できる。
【００３８】
加熱発泡材１７２、１７５は、樹脂骨材８０、９０の凹溝８１６、９１７に配置したので、樹脂骨材８０、９０で隠すことができる。したがって、加熱発泡材１７２、１７５も扉３の外部に露出しないので意匠性を更に向上できる。
屋外面材５１の屋外見込み面部５１２Ｃは、ネジ３７で丁番４および金属骨材６０に連結され、屋外見込み面部５１２Ｄは金属骨材６０に連結されたエッジ材１５０で係止されている。また、屋内面材５２の屋内見込み面部５２２Ｃは、ネジ３６、リベット６４で金属骨材６０に連結され、屋内面材５２の屋内見込み面部５２２Ｄは、リベット６４で金属骨材６０に連結されている。このため、火災時に樹脂骨材８０、９０が焼失しても骨材５および屋外面材５１、屋内面材５２による扉３の形状を維持でき、防火性能を維持できる。
【００３９】
エッジ材１５０は扉３の見込み面の途中まで覆う寸法で形成され、エッジ材１５０の屋内側には樹脂骨材９０の露出部９４が露出しているので、防火性能および断熱性能を向上できる。また、エッジ材１５０が扉３の屋内面まで延長されていないので、例えば、屋内面材５２が火災時の熱で熱伸びした際に、エッジ材１５０は、屋内面材５２が縦枠４０側に熱伸びすることを妨げない。エッジ材１５０が屋内面材５２の熱伸びを規制した場合には屋内面材５２に反り応力が発生し、扉３が反ってしまうが、本実施形態では、屋内面材５２の熱伸びを殆ど規制しないので、扉３の熱反りを防止できる。
タイト材３５、４５は、樹脂骨材８０、９０に接触し、エッジ材１５０等に接触しないので、この点でも断熱性を向上できる。
【００４０】
扉３は、上骨および下骨を備えていないので、上骨、下骨を介した熱橋の発生を防止できて扉３の断熱性能を向上でき、部品数を少なくできてコストも低減できる。また、扉３は、上骨、下骨を備えていないので、屋外面材５１、屋内面材５２の上下方向の熱伸びを規制することがなく、この点でも屋外面材５１、屋内面材５２の反り応力の発生を抑制でき、それらの反り応力による扉３の反りの発生も抑制できる。
【００４１】
［第２実施形態］
次に、本発明の第２実施形態の玄関ドア１Ａを、図６および図７に基づいて説明する。第２実施形態の扉３Ａは、上骨６および下骨７を追加した点と、縦骨８Ａの樹脂骨材８０Ａの構成が第１実施形態の扉３と相違する。玄関ドア１Ａのドア枠２と、扉３Ａの縦骨９や、屋外面材５１、屋内面材５２、断熱芯材５３の構成は第１実施形態と同一であるため、説明を省略する。
扉３Ａは、上骨６および下骨７と、縦骨８Ａ、縦骨９を備えて構成される。縦骨８Ａは、金属骨材６０および樹脂骨材８０Ａで構成される。樹脂骨材８０Ａは、第１実施形態の樹脂骨材８０に対し、加熱発泡材１７１の外周側（縦枠３０側）に、加熱発泡材１７３Ａ、１７３Ｂを配置し、露出部９４で被覆した点が相違する。加熱発泡材１７３Ａ、１７３Ｂは、縦骨９の加熱発泡材１７３Ａ、１７３Ｂと同じく、屋内方向に発泡し、保持片部３２２との隙間を遮蔽する。樹脂骨材８０Ａのその他の構成は、樹脂骨材８０と同様であるため、説明を省略する。
【００４２】
図６に示すように、上骨６および下骨７は、同一の金属骨材６０および樹脂骨材７０を備え、配置の向きが上下逆とされている。金属骨材６０は、第１実施形態の縦骨８、９の金属骨材６０と同一であるため、第１実施形態と同一符号を付して説明を省略する。
樹脂骨材７０は、第１実施形態の樹脂骨材８０、９０と同様に、金属骨材６０の見込み片部６１に沿って配置される外周片部７１と、外周片部７１の屋外側端部から見付け方向に延長された屋外片部７２とを備えて、断面略Ｌ字状に形成されている。外周片部７１は、屋内側端部が屋内面材５２の屋内面部５２１と面一となる位置まで延長され、金属骨材６０が扉３の上面および下面に露出しないように被覆する。
外周片部７１の表面には、面材保持面７１１が設けられ、面材保持面７１１には屋外面材５１の屋外見込み面部５１２Ａ、５１２Ｂが接着されている。
【００４３】
外周片部７１の裏面、つまり金属骨材６０に対向する見込み面には、樹脂骨材７０の長手方向（左右方向）に沿って連続する複数の凸部７６、７７、７８が形成され、これらの凸部７６〜７８によって複数の凹溝が形成されている。凸部７６には、２つの溝が形成され、加熱発泡材１８１Ａ、１８１Ｂが収納されている。凸部７６、７７間の凹溝には、加熱発泡材１８２が配置され、凸部７７、７８間の凹溝には加熱発泡材１８３が配置され、凸部７８および屋外片部７２間の凹溝には加熱発泡材１８４が配置されている。
加熱発泡材１８１Ａ、１８１Ｂは、加熱発泡材１７３Ａ、１７３Ｂと同様に、発泡方向が屋内側、つまりタイト材１５、２５を保持する保持片部１２２、２２２に向かうように配置されている。このため、火災時の熱で加熱発泡材１８１Ａ、１８１Ｂが発泡すると、加熱発泡材１７３Ａ、１７３Ｂと同様に、屋内側に向かって発泡し、保持片部１２２、２２２と扉３Ａとの隙間を遮蔽する。
加熱発泡材１８２、１８３、１８４は、発泡方向が上骨６、下骨７の見付け方向すなわち上枠１０、下枠２０に向かうように配置されている。上骨６の加熱発泡材１８２、１８３は、発泡すると、金属骨材６０の見込み片部６１や屋内面材５２の屋内見込み面部５２２Ａと、上枠１０の下面部１１３との間を遮蔽する。下骨７の加熱発泡材１８２、１８３は、発泡すると、見込み片部６１や屋内見込み面部５２２Ｂと、下枠２０の上面部２１３との間を遮蔽する。
【００４４】
屋内面材５２の屋内見込み面部５２２Ａ、５２２Ｂは、金属骨材６０の見込み片部６１に沿って配置され、見込み片部６１にリベット６４で固定されている。屋内見込み面部５２２Ａ、５２２Ｂの屋外側端部は、凸部７７まで延長され、凸部７７には、屋内見込み面部５２２Ａ、５２２Ｂの端部が配置される段差部が形成されている。屋内見込み面部５２２Ａ、５２２Ｂの屋外側端部の見込み方向の位置は、屋外見込み面部５１２Ａ、５１２Ｂの屋内側端部よりも屋内側に離れて配置されている。
凸部７６〜７８が形成されることで、金属骨材６０や後述する屋内面材５２と、樹脂骨材７０との接触面積が小さくなり、金属骨材６０や屋内面材５２と、外周片部７１とで区画される３つの密閉空間（凹溝）が形成されるため、樹脂骨材７０から金属骨材６０や屋内面材５２への熱伝導を低減でき、上骨６、下骨７部分の断熱性能を向上できる。
【００４５】
このような第２実施形態では、前記第１実施形態と同様の効果がある。すなわち、上骨６、下骨７において、屋内見込み面部５２２Ａ、５２２Ｂの外側（上側および下側）に加熱発泡材１８１Ａ、１８１Ｂ、１８２を配置し、これらの加熱発泡材１８１Ａ、１８１Ｂ、１８２を樹脂骨材７０で被覆しているので、意匠性を向上でき、かつ、火災時に加熱発泡材１８１Ａ、１８１Ｂ、１８２の発泡が阻害されず、扉３Ａと上枠１０、下枠２０との隙間も確実に遮蔽できる。
さらに、上骨６、下骨７を設けたので、第１実施形態の扉３に比べて、扉３Ａの剛性を向上でき、扉３Ａの熱反りをさらに抑制できる。また、上骨６、下骨７は、金属骨材６０および樹脂骨材７０で構成したので、上骨６、下骨７における断熱性能および剛性を向上できる。上骨６、下骨７は、同一部品で構成しているので、部品種類を少なくできてコストを抑制できる。
また、縦骨８Ａにも縦骨９と同様に、屋内側に発泡する加熱発泡材１７３Ａ、１７３Ｂを追加して設けているので、タイト材３５が焼失した際に、扉３Ａと保持片部３２２との隙間を遮蔽でき、耐火性能を向上できる。
【００４６】
［第３実施形態］
次に、本発明の第３実施形態の玄関ドア１Ｂを、図８、９に基づいて説明する。第３実施形態の扉３Ｂは、上骨６Ｂ、下骨７Ｂ、縦骨８Ｂ、９Ｂの構成が前記第１、２実施形態と相違する。すなわち、上骨６Ｂ、下骨７Ｂは、金属骨材は用いずに、共通する樹脂骨材７０Ｂで構成している。また、縦骨８Ｂ、９Ｂは、断面Ｌ字状の金属骨材６０Ｂと、硬質樹脂および軟質樹脂で二色成形された樹脂骨材８０Ｂとで構成している。その他の構成は、第１実施形態と同一であるため、説明を省略する。
図８に示すように、樹脂骨材７０Ｂは、扉３Ｂの見込み方向に沿った外周片部７１Ｂと、外周片部７１Ｂから断熱芯材５３側に突出した一対の突出片７３、７４とを備えている。突出片７３、７４の先端はフック形状とされ、屋外面材５１および屋内面材５２間に挿入されて係止されている。すなわち、樹脂骨材７０Ｂは突出片７３、７４が弾性変形することによるスナップフィットによって屋外面材５１、屋内面材５２に係止されている。
樹脂骨材７０Ｂには、見込み方向の位置が突出片７３の屋内側であり、樹脂骨材７０Ｂの裏面側（断熱芯材５３側）に開口する凹溝７１５と、見込み方向の位置が一対の突出片７３、７４間である中空部７１６とが形成されている。凹溝７１５には、加熱発泡材１９１が配置され、中空部７１６には加熱発泡材１９２が配置されている。
【００４７】
屋外面材５１は、屋外面部５１１と、屋外面部５１１の上下端部から屋内側に連続する屋外見込み面部５１２Ａ、５１２Ｂと、屋外面部５１１の左右端部から屋内側に連続する屋外見込み面部５１２Ｃ、５１２Ｄと、屋外見込み面部５１２Ａ、５１２Ｂの屋内端部から断熱芯材５３側に折曲された見付け面部５１３Ｂとを備えて形成されている。
屋内面材５２は、屋内面部５２１と、屋内面部５２１の上下端部から屋外側に連続する屋内見込み面部５２２Ａ、５２２Ｂと、屋内面部５２１の左右端部から屋外側に連続する屋内見込み面部５２２Ｃ、５２２Ｄと、屋内見込み面部５２２Ａ、５２２Ｂの屋外端部から断熱芯材５３側に折曲された見付け面部５２３Ｂとを備えて形成されている。
屋外面部５１１の上下寸法は、屋内面部５２１よりも大きくされ、屋外見込み面部５１２Ａの高さ位置は屋内見込み面部５２２Ａよりも高くされ、屋外見込み面部５１２Ｂの高さ位置は屋内見込み面部５２２Ｂよりも低くされている。
屋外見込み面部５１２Ａおよび屋外見込み面部５１２Ｂは、外周片部７１Ｂの屋外側に突出した突出片７５の裏面に当接し、見付け面部５１３Ｂは屋外側の突出片７４のフック部と突出片７５とに挟持されている。
屋内見込み面部５２２Ａおよび屋内見込み面部５２２Ｂは、外周片部７１Ｂの裏面に当接し、見付け面部５２３Ｂは屋内側の突出片７３のフック部と外周片部７１Ｂとに挟持されている。
【００４８】
図９に示すように、縦骨８Ｂおよび縦骨９Ｂは、金属骨材６０Ｂと、樹脂骨材８０Ｂとで構成されている。
金属骨材６０Ｂは、扉３Ｂの見込み方向に沿った見込み片部６１２と、見込み片部６１２の屋内側端部から縦骨８Ｂ、９Ｂの見付け方向（左右方向）に延長された見付け片部６１３とを備えて構成される。
樹脂骨材８０Ｂは、金属骨材６０Ｂの見込み片部６１２に沿って配置される外周片部８５１と、外周片部８５１の屋外側端部から見付け方向に延長された屋外片部８５２とを備えて、断面略Ｌ字状に形成されている。外周片部８５１の屋内側端部は、屋内面材５２の屋内面部５２１と面一となる位置まで延長され、金属骨材６０Ｂが扉３Ｂの側面に露出しないように被覆している。
外周片部８５１には、露出部９４Ｂが設けられている。露出部９４Ｂは、縦枠３０、４０側に突出する突出片８５３と、突出片８５３の基端部から屋内側に延長された延出部８５４とで構成される裏面部と、突出片８５３の先端および延出部８５４の先端間に跨がって形成された表面部８６１とを備えて中空形状とされている。すなわち、露出部９４Ｂは、裏面部および表面部８６１で囲まれる中空部を備えている。樹脂骨材８０Ｂは、表面部８６１を軟質樹脂で成形し、その他の部分を硬質樹脂で成形した二色成形によって製造されている。縦骨９Ｂにおいて、露出部９４Ｂは、エッジ材１５０の屋内側に配置され、扉３Ｂの戸先側の側面に露出する。縦骨８Ｂにおいて、露出部９４Ｂは、丁番４よりも屋内側に配置され、扉３Ｂの吊元側の側面に露出する。
【００４９】
外周片部８５１の表面には、屋外面材５１の屋外見込み面部５１２Ｃ、５１２Ｄが接着されている。
外周片部８５１の裏面には３つの凹溝が形成され、縦枠３０や縦枠４０に向かって発泡する加熱発泡材１９３、１９４、１９５が配置されている。また、露出部９４Ｂの中空部には、屋内側に向かって発泡する加熱発泡材１９６が配置されている。
縦骨８Ｂに設けられた加熱発泡材１９３は、発泡により金属骨材６０Ｂと屋外見込み面部５１２Ｃとの間を遮蔽する。縦骨９Ｂに設けられた加熱発泡材１９４は、発泡により金属骨材６０Ｂと縦枠４０の側面部４１３との間を遮蔽し、加熱発泡材１９５は、発泡により金属骨材６０Ｂと屋外見込み面部５１２Ｄとの間を遮蔽する。
加熱発泡材１９６は、発泡により、タイト材３５、４５が焼失した際に、保持片部３２２、４２２と扉３Ｂとの間を遮蔽する。
【００５０】
このような第３実施形態では、屋内面材５２の屋内見込み面部５２２Ａ〜５２２Ｄの外周側（ドア枠２側）に加熱発泡材１９１，１９６を配置し、これらの加熱発泡材１９１、１９６を樹脂骨材７０Ｂ、８０Ｂによって扉３Ｂの外周面に露出しないように覆っているので、前記各実施形態と同様の効果がある。
また、上骨６Ｂ、下骨７Ｂは同一部品で構成し、縦骨８Ｂ、９Ｂも同一の金属骨材６０Ｂ、樹脂骨材８０Ｂで構成しているので、部品種類を少なくできる。さらに、樹脂骨材８０Ｂの露出部９４Ｂの表面部８６１を軟質樹脂で構成したので、表面部８６１と縦枠３０、４０との間での物の挟み込みを抑制できる。
【００５１】
［変形例］
なお、本発明は以上の実施形態で説明した構成のものに限定されず、本発明の目的を達成できる範囲での変形例は、本発明に含まれる。
例えば、前記各実施形態では、扉３、３Ａ、３Ｂにおいて、屋内面材５２の外周側（縦枠４０側）に配置された加熱発泡材は、樹脂骨材８０、９０、７０、８０Ａ、７０Ｂ、８０Ｂで被覆していたが、樹脂骨材と別体の樹脂製カバー材を設けて被覆してもよい。すなわち、加熱発泡材が戸体の外周面に露出しないように被覆する樹脂部材は、樹脂骨材または樹脂製カバー材で構成すればよい。
第１実施形態の扉３では、吊元側の縦骨８に設けた加熱発泡材１７１は、縦枠３０側に発泡する向きに配置されていたが、戸先側の縦骨９と同様に、屋内側に発泡する向きの加熱発泡材を設けてもよい。第３実施形態の扉３Ｂの上骨６Ｂ、下骨７Ｂにも第２実施形態の扉３Ａのように屋内側に発泡する向きの加熱発泡材を設けてもよい。
一方、戸先側の縦骨８においても、縦枠３０側に発泡する加熱発泡材のみを設けてもよく、加熱発泡材の発泡方向の設定は前記各実施形態に限定されない。
【００５２】
本発明の建具は、採光部を備えない玄関ドアであったが、採光部を有する扉を用いた玄関ドアでもよい。また、本発明の建具は、玄関ドアに限らず、勝手口ドアなど出入り口の各種ドアとして利用できる。この際、本発明は、親扉、子扉の２枚の扉が設けられた建具にも適用でき、さらには、引戸タイプの建具にも適用できる。また、ドア枠としては、アルミ製の屋外部材と、樹脂製の屋内部材とで構成したドア枠でもよいし、アルミ製のドア枠でもよい。さらに、ドア枠としては、少なくとも縦枠３０、４０を備えていればよく、上枠や下枠を備えないドア枠も用いることができる。
【符号の説明】
【００５３】
１、１Ａ、１Ｂ…建具である玄関ドア、２…建具枠であるドア枠、３、３Ａ、３Ｂ…戸体である扉、６、６Ｂ…上骨、７、７Ｂ…下骨、８、８Ａ、８Ｂ…第一縦骨である縦骨、９、９Ｂ…第二縦骨である縦骨、１０…上枠、２０…下枠、３０…第一縦枠である縦枠、３５…タイト材、４０…第二縦枠である縦枠、４５…タイト材、５１…屋外面材、５２…屋内面材、５３…断熱芯材、６０、６０Ｂ…金属骨材、７０、７０Ｂ、８０、８０Ａ、８０Ｂ、９０…樹脂骨材、９４、９４Ｂ…露出部、１５０…エッジ材、１７１、１７２、１７３Ａ、１７３Ｂ、１７４、１７５、１７６、１８１Ａ、１８１Ｂ、１８２、１８３、１８４、１９１、１９２、１９３、１９４、１９５、１９６…加熱発泡材、５１１…屋外面部、５１２Ａ、５１２Ｂ、５１２Ｃ、５１２Ｄ…屋外見込み面部、５１３、５１３Ｂ…見付け面部、５２１…屋内面部、５２２Ａ、５２２Ｂ、５２２Ｃ、５２２Ｄ…屋内見込み面部、５２３、５２３Ｂ…見付け面部。
【図１】
2019108668.tif 000003
【図２】
2019108668.tif 000004
【図３】
2019108668.tif 000005
【図４】
2019108668.tif 000006
【図５】
2019108668.tif 000007
【図６】
2019108668.tif 000008
【図７】
2019108668.tif 000009
【図８】
2019108668.tif 000010
【図９】
2019108668.tif 000011